(57)【要約】【課題】取り扱われるべき硬貨の金種の数に応じてドロアにおける硬貨容器の数を変えることができ、しかも特定の金種の硬貨を大量に出金したい場合には当該金種に対応する硬貨容器として容量の大きなものを用いることにより特定の金種の硬貨を大量に出金することができる硬貨払出装置およびドロアを提供する。【解決手段】ドロア７２は、硬貨容器受部７４と、硬貨容器受部７４にそれぞれ載置可能である、形状が異なる複数の種類の硬貨容器７６ａ、７６ｂと、を有しており、硬貨容器受部７４に載置される各種類の硬貨容器７６ａ、７６ｂの組み合わせにより、ドロア７２における硬貨容器７６ａ、７６ｂの設置台数が変更可能となっている。【選択図】図１
2014010680.tif 000002
【特許請求の範囲】
【請求項１】
各々が硬貨を収納するとともに収納された硬貨を払い出す複数の硬貨収納部と、
前記各硬貨収納部から払い出された硬貨が送られるドロアと、
を備え、
前記ドロアは、硬貨容器受部と、前記硬貨容器受部にそれぞれ載置可能である、形状が異なる複数の種類の硬貨容器と、を有しており、前記硬貨容器受部に載置される各種類の前記硬貨容器の組み合わせにより、前記ドロアにおける前記硬貨容器の設置台数が変更可能となっている、硬貨払出装置。
【請求項２】
前記ドロアが着脱可能な移動部材を更に備え、
前記移動部材は、前記各硬貨収納部から払い出された硬貨が前記ドロアに送られる第１位置と、前記ドロアの前記各硬貨容器に収納された硬貨を当該各硬貨容器から取り出し可能な第２位置との間で移動可能となっている、請求項１記載の硬貨払出装置。
【請求項３】
前記ドロアには、前記硬貨容器受部に載置された前記各硬貨容器の種類および位置を検知するための硬貨容器検知部が設けられている、請求項１または２記載の硬貨払出装置。
【請求項４】
前記各硬貨収納部に収納されるべき硬貨の金種を設定するための金種設定手段を更に備えた、請求項１乃至３のいずれか一項に記載の硬貨払出装置。
【請求項５】
前記各硬貨収納部から払い出された複数の金種の硬貨が前記ドロアの１つの前記硬貨容器に収納されるよう、前記ドロアの前記硬貨容器受部に載置される前記各種類の前記硬貨容器の組み合わせおよび前記各硬貨収納部に収納されるべき硬貨の金種が設定されたときに、異常状態である旨の情報を出力する異常状態出力手段を更に備えた、請求項１乃至４のいずれか一項に記載の硬貨払出装置。
【請求項６】
前記ドロアの少なくとも１つの前記硬貨容器は、１つの前記硬貨収納部から払い出された硬貨を収納するようになっている、請求項１乃至５のいずれか一項に記載の硬貨払出装置。
【請求項７】
前記ドロアの少なくとも１つの前記硬貨容器は、複数の前記硬貨収納部から払い出された硬貨を収納するようになっている、請求項１乃至６のいずれか一項に記載の硬貨払出装置。
【請求項８】
複数の前記硬貨収納部は、水平面上で複数列となるよう配置されるようになっている、請求項１乃至７のいずれか一項に記載の硬貨払出装置。
【請求項９】
複数の前記硬貨容器は、前記硬貨容器受部上で複数列となるよう配置されるようになっており、
前記硬貨収納部の列の数は、前記硬貨容器の列の数と等しい、請求項８記載の硬貨払出装置。
【請求項１０】
前記硬貨容器受部における前記各硬貨容器が載置されるべき底部には開口が設けられており、前記硬貨容器受部の下方に硬貨を回収するための回収部が設置可能となっている、請求項１乃至９のいずれか一項に記載の硬貨払出装置。
【請求項１１】
硬貨容器受部と、
前記硬貨容器受部にそれぞれ載置可能である、形状が異なる複数の種類の硬貨容器と、
を備え、
前記硬貨容器受部に載置される各種類の前記硬貨容器の組み合わせにより、前記硬貨容器の設置台数が変更可能となっている、ドロア。
【発明の詳細な説明】
【技術分野】
【０００１】
本発明は、硬貨の払い出しを行う硬貨払出装置および硬貨払出装置に設けられたドロアに関する。
【背景技術】
【０００２】
従来から、硬貨の払い出しを行う硬貨払出装置として様々なタイプのものが知られている。例えば、特許文献１には、硬貨払出装置において払出ユニットから払い出された硬貨がシュートを介してドロアに送られて当該ドロアに収納され、このドロアを硬貨払出装置の筐体から外部に取り出すことにより硬貨の払い出しを行うような発明が開示されている。特許文献１では、ドロアには複数の収納部が区画されており、各収納部に硬貨が金種別に収納されるようになっている。
【先行技術文献】
【特許文献】
【０００３】
【特許文献１】米国特許第５，８３０，０５４号
【発明の概要】
【発明が解決しようとする課題】
【０００４】
特許文献１等に開示されるような従来の硬貨払出装置では、ドロアに複数の収納部が前もって区画されており、各収納部に硬貨が金種別に収納されるようになっているが、国によって取り扱われるべき硬貨の金種の数が異なるため、対応国毎に出金系のシュートやドロアの構成を変更する必要があるという問題がある。とりわけ、取り扱われるべき硬貨の金種の数が少ない国において、ドロアの各収納部に収納されるべき硬貨の金種の設定を行う際に、フレキシブルに対応することができず、また、特定の金種の硬貨を大量に出金しようとしても各収納部の容量に限りがあるため特定の金種の硬貨を大量に出金することができないという問題がある。
【０００５】
本発明は、このような点を考慮してなされたものであり、形状が異なる複数の硬貨容器が硬貨容器受部に載置可能であり、硬貨容器受部に載置される各種類の硬貨容器の組み合わせによってドロアにおける硬貨容器の設置台数が変更可能となっているため、取り扱われるべき硬貨の金種の数に応じてドロアにおける硬貨容器の数を変えることができ、しかも特定の金種の硬貨を大量に出金したい場合には当該金種に対応する硬貨容器として容量の大きなものを用いることにより特定の金種の硬貨を大量に出金することができる硬貨払出装置およびドロアを提供することを目的とする。
【課題を解決するための手段】
【０００６】
本発明の硬貨払出装置は、各々が硬貨を収納するとともに収納された硬貨を払い出す複数の硬貨収納部と、前記各硬貨収納部から払い出された硬貨が送られるドロアと、を備え、前記ドロアは、硬貨容器受部と、前記硬貨容器受部にそれぞれ載置可能である、形状が異なる複数の種類の硬貨容器と、を有しており、前記硬貨容器受部に載置される各種類の前記硬貨容器の組み合わせにより、前記ドロアにおける前記硬貨容器の設置台数が変更可能となっている。
【０００７】
このような硬貨払出装置によれば、ドロアは、硬貨容器受部と、硬貨容器受部にそれぞれ載置可能である、形状が異なる複数の種類の硬貨容器と、を有しており、硬貨容器受部に載置される各種類の硬貨容器の組み合わせにより、ドロアにおける硬貨容器の設置台数が変更可能となっている。このことにより、取り扱われるべき硬貨の金種の数に応じてドロアにおける硬貨容器の数を変えることができる。また、特定の金種の硬貨を大量に出金したい場合には当該金種に対応する硬貨容器として容量の大きなものを用いることにより、特定の金種の硬貨を大量に出金することができる。
【０００８】
本発明の硬貨払出装置においては、前記ドロアが着脱可能な移動部材を更に備え、前記移動部材は、前記各硬貨収納部から払い出された硬貨が前記ドロアに送られる第１位置と、前記ドロアの前記各硬貨容器に収納された硬貨を当該各硬貨容器から取り出し可能な第２位置との間で移動可能となっていてもよい。
【０００９】
本発明の硬貨払出装置においては、前記ドロアには、前記硬貨容器受部に載置された前記各硬貨容器の種類および位置を検知するための硬貨容器検知部が設けられていてもよい。
【００１０】
本発明の硬貨払出装置においては、前記各硬貨収納部に収納されるべき硬貨の金種を設定するための金種設定手段を更に備えていてもよい。
【００１１】
本発明の硬貨払出装置においては、前記各硬貨収納部から払い出された複数の金種の硬貨が前記ドロアの１つの前記硬貨容器に収納されるよう、前記ドロアの前記硬貨容器受部に載置される前記各種類の前記硬貨容器の組み合わせおよび前記各硬貨収納部に収納されるべき硬貨の金種が設定されたときに、異常状態である旨の情報を出力する異常状態出力手段を更に備えていてもよい。
【００１２】
本発明の硬貨払出装置においては、前記ドロアの少なくとも１つの前記硬貨容器は、１つの前記硬貨収納部から払い出された硬貨を収納するようになっていてもよい。
【００１３】
また、前記ドロアの少なくとも１つの前記硬貨容器は、複数の前記硬貨収納部から払い出された硬貨を収納するようになっていてもよい。
【００１４】
本発明の硬貨払出装置においては、複数の前記硬貨収納部は、水平面上で複数列となるよう配置されるようになっていてもよい。
【００１５】
この際に、複数の前記硬貨容器は、前記硬貨容器受部上で複数列となるよう配置されるようになっており、前記硬貨収納部の列の数は、前記硬貨容器の列の数と等しいようになっていてもよい。
【００１６】
本発明の硬貨払出装置においては、前記硬貨容器受部における前記各硬貨容器が載置されるべき底部には開口が設けられており、前記硬貨容器受部の下方に硬貨を回収するための回収部が設置可能となっていてもよい。
【００１７】
本発明のドロアは、硬貨容器受部と、前記硬貨容器受部にそれぞれ載置可能である、形状が異なる複数の種類の硬貨容器と、を備え、前記硬貨容器受部に載置される各種類の前記硬貨容器の組み合わせにより、前記硬貨容器の設置台数が変更可能となっている。
【００１８】
このようなドロアによれば、硬貨容器受部に載置される各種類の硬貨容器の組み合わせにより、硬貨容器の設置台数が変更可能となっているため、取り扱われるべき硬貨の金種の数に応じて硬貨容器の数を変えることができる。また、特定の金種の硬貨を大量に出金したい場合には当該金種に対応する硬貨容器として容量の大きなものを用いることにより、特定の金種の硬貨を大量に出金することができる。
【発明の効果】
【００１９】
本発明の硬貨払出装置およびドロアによれば、取り扱われるべき硬貨の金種の数に応じてドロアにおける硬貨容器の数を変えることができ、しかも特定の金種の硬貨を大量に出金したい場合には当該金種に対応する硬貨容器として容量の大きなものを用いることにより特定の金種の硬貨を大量に出金することができる。
【図面の簡単な説明】
【００２０】
【図１】本発明の一の実施の形態における硬貨入出金機の内部構成の概略を示す側面図である。
【図２】図１に示す硬貨入出金機の正面図である。
【図３】図１等に示す硬貨入出金機における各収納繰出装置の構成を示す上面図である。
【図４】図１等に示す硬貨入出金機の機能ブロック図である。
【図５Ａ】図１等に示す硬貨入出金機に設けられたドロアにおける硬貨容器受部の構成を示す斜視図である。
【図５Ｂ】（ａ）（ｂ）は、図１等に示す硬貨入出金機に設けられたドロアにおける各種の硬貨容器の構成を示す斜視図である。
【図５Ｃ】（ａ）〜（ｆ）は、硬貨容器受部に載置される硬貨容器の組み合わせの様々なパターンを示す図である。
【図６】ドロアに設けられた硬貨容器検知センサの構成を示す上面図である。
【図７】硬貨容器受部に硬貨容器が図５Ｃ（ｂ）に示すようなパターンで載置されたときの硬貨入出金機の側面図である。
【図８】硬貨容器受部に硬貨容器が図５Ｃ（ｆ）に示すようなパターンで載置されたときの硬貨入出金機の正面図である。
【図９】複数の金種を混合して１つの区画に収納するようなタイプの回収ボックスが台車に装着された場合における、硬貨容器受部から硬貨容器を取り除いたときの硬貨入出金機の側面図である。
【図１０】複数の金種を混合して１つの区画に収納するようなタイプの回収ボックスが台車に装着された場合における、硬貨容器受部から硬貨容器を取り除いたときの硬貨入出金機の正面図である。
【図１１】硬貨を金種毎に複数の区画に収納するようなタイプの回収ボックスを台車に装着した場合における、硬貨容器受部から硬貨容器を取り除いたときの硬貨入出金機の側面図である。
【図１２】硬貨を金種毎に複数の区画に収納するようなタイプの回収ボックスを台車に装着した場合における、硬貨容器受部から硬貨容器を取り除いたときの硬貨入出金機の正面図である。
【発明を実施するための形態】
【００２１】
以下、図面を参照して本発明の一の実施の形態について説明する。図１乃至図１２は、本実施の形態に係る硬貨入出金機を示す図である。このうち、図１は、本実施の形態における硬貨入出金機の内部構成の概略を示す側面図であり、図２は、図１に示す硬貨入出金機の正面図である。また、図３は、図１等に示す硬貨入出金機における各収納繰出装置の構成を示す上面図である。また、図４は、図１等に示す硬貨入出金機の機能ブロック図である。また、図５Ａ〜図５Ｃは、図１等に示す硬貨入出金機に設けられたドロアの構成をそれぞれ示す図であり、図６は、ドロアに設けられた硬貨容器検知センサの構成を示す上面図である。また、図７は、硬貨容器受部に硬貨容器が図５Ｃ（ｂ）に示すようなパターンで載置されたときの硬貨入出金機の側面図であり、図８は、硬貨容器受部に硬貨容器が図５Ｃ（ｆ）に示すようなパターンで載置されたときの硬貨入出金機の正面図である。また、図９および図１０は、複数の金種を混合して１つの区画に収納するようなタイプの回収ボックスが台車に装着された場合における、硬貨容器受部から硬貨容器を取り除いたときの硬貨入出金機の側面図および正面図であり、図１１および図１２は、硬貨を金種毎に複数の区画に収納するようなタイプの回収ボックスを台車に装着した場合における、硬貨容器受部から硬貨容器を取り除いたときの硬貨入出金機の側面図および正面図である。
【００２２】
図１および図２に示すように、硬貨入出金機１０は、略直方体形状の筐体１２と、筐体１２外から硬貨を受け入れる硬貨受入口１４と、硬貨受入口１４に受け入れられた硬貨が送られて貯留されるとともに貯留された硬貨を１枚ずつ繰り出す貯留繰出装置３０とを備えている。また、筐体１２内において、貯留繰出装置３０から繰り出された硬貨を１枚ずつ搬送する入金搬送部２０が設けられている。入金搬送部２０は、略水平方向に沿って延びる上部搬送部分２０ａと、上部搬送部分２０ａから送られた硬貨を搬送し、この際に硬貨の搬送方向を逆方向に変える折り返し搬送部分２０ｂと、上部搬送部分２０ａの下方に設けられ、略水平方向に沿って延び、折り返し搬送部分２０ｂから送られた硬貨を搬送する下部搬送部分２０ｃとを有している。そして、貯留繰出装置３０から繰り出された硬貨は上部搬送部分２０ａ、折り返し搬送部分２０ｂ、下部搬送部分２０ｃの順に搬送されるようになっている。入金搬送部２０には、当該入金搬送部２０により搬送される硬貨の識別を行う識別部２２や、識別部２２による硬貨の識別結果に基づいて硬貨の選別を行う選別部２４が設けられている。
【００２３】
また、図２等に示すように、筐体１２内において入金搬送部２０の下方には左右一対の一時保留部４０が設けられており、これらの一時保留部４０には、選別部２４により選別された硬貨がシュート２６を介して送られ、金種毎に区分けされた状態で一時的に保留されるようになっている。また、一時保留部４０の下方には、複数（具体的には８つ）の収納繰出装置５０が設けられている。各収納繰出装置５０は、一時保留部４０に一時的に保留された硬貨が当該一時保留部４０からシュート４６を介して送られて収納されるようになっている。また、各収納繰出装置５０は、当該収納繰出装置５０に収納された硬貨を１枚ずつ繰り出すようになっている。ここで、図３に示すように、複数の収納繰出装置５０は、水平面に沿って複数列となるよう配置されている。
【００２４】
また、図１および図２に示すように、筐体１２内において、各収納繰出装置５０の下方には台車７０が設けられている。この台車７０にはドロア７２が着脱自在に設けられており、各収納繰出装置５０から繰り出された硬貨はドロア７２に送られて収納されるようになっている。ドロア７２の構成の詳細については後述する。また、台車７０におけるドロア７２の下方には回収ボックス７８が着脱自在に設けられている。
【００２５】
また、硬貨入出金機１０の筐体１２内には、当該硬貨入出金機１０の各構成要素の制御を行う制御部８０が設けられている。
【００２６】
以下、このような構成からなる硬貨入出金機１０の各構成要素の詳細について説明する。
【００２７】
図１および図２に示すように、筐体１２外から内部に投入された硬貨を受け入れる硬貨受入口１４が筐体１２の上部に設けられており、硬貨受入口１４に受け入れられた硬貨は自重により貯留繰出装置３０に送られるようになっている。硬貨受入口１４から貯留繰出装置３０に送られた硬貨は、当該貯留繰出装置３０に一時的に貯留されるようになっている。
【００２８】
貯留繰出装置３０は、鉛直方向に対して所定角度で傾斜しており傾斜姿勢で回転させられる回転円盤３２と、この回転円盤３２の表面との間に硬貨を貯留する硬貨貯留空間３３を形成するカバー部材３４と、を備えている。
【００２９】
入金搬送部２０に設けられた各選別部２４は、識別部２２による硬貨の識別結果に基づいて、この入金搬送部２０により搬送される硬貨を選別して、シュート２６を介してリジェクト部４７やオーバーフローボックス４９、または一時保留部４０に送るようになっている。また、一時保留部４０に一時的に保留された硬貨は、返却箱４８または各収納繰出装置５０に選択的に送られるようになっている。
【００３０】
図３に示すように、各収納繰出装置５０は水平面に沿って複数列、具体的には２列となるよう配置されている。そして、各列には４つの収納繰出装置５０が設けられている。また、各収納繰出装置５０には、当該収納繰出装置５０から繰り出された硬貨を案内するためのシュート６８が設けられている。これらの複数のシュート６８は各収納繰出装置５０にそれぞれ対応して設けられている。そして、図３に示すように、各シュート６８は、一方の列の収納繰出装置５０（図３における上側の列の４つの収納繰出装置５０）と他方の列の収納繰出装置５０（図３における下側の列の４つの収納繰出装置５０）との間において各収納繰出装置５０の側方に設置されている。
【００３１】
図２に示すように、各収納繰出装置５０は、硬貨の繰り出しを行う繰出部５１と、各一時保留部４０から送られた硬貨を収納するとともに収納された硬貨を繰出部５１に搬送する搬送部６０とを有している。各収納繰出装置５０の繰出部５１は、鉛直方向に対して所定角度で傾斜しており傾斜姿勢で回転させられる回転円盤５２と、この回転円盤５２の表面との間に硬貨を収納する硬貨収納空間５３を形成するカバー部材５４と、を有している。
【００３２】
また、図２に示すように、各収納繰出装置５０における搬送部６０は、略水平方向に延びる無端状の搬送ベルト６２を有している。そして、各一時保留部４０からシュート４６を介して送られた硬貨は搬送ベルト６２上に集積されるようになっている。そして、搬送ベルト６２が図２における矢印方向に循環移動することにより、搬送ベルト６２上に集積された硬貨の山が崩されて、硬貨は繰出部５１における回転円盤５２とカバー部材５４との間に形成された硬貨収納空間５３に送られるようになっている。ここで、搬送部６０における搬送ベルト６２と繰出部５１における回転円盤５２とは同期して動作されるようになっている。
【００３３】
各収納繰出装置５０から繰り出された硬貨は、当該収納繰出装置５０に対応するシュート６８を介して、台車７０に装着されたドロア７２に収納されるようになっている。このようなドロア７２の構成について図５Ａ〜図５Ｃを用いて説明する。なお、図５Ａは、ドロア７２の硬貨容器受部７４の構成を示す斜視図であり、図５Ｂは、硬貨容器受部７４に載置される、様々な種類の硬貨容器７６ａ、７６ｂの構成を示す斜視図であり、図５Ｃは、硬貨容器受部７４に載置される硬貨容器７６ａ、７６ｂの組み合わせの様々なパターンを示す図である。
【００３４】
本実施の形態では、ドロア７２は、図５Ａに示すような硬貨容器受部７４と、硬貨容器受部７４にそれぞれ載置可能である、形状が異なる複数の種類の硬貨容器７６ａ、７６ｂと、を有している。形状が異なる複数の種類の硬貨容器としては、例えば、図５Ｂ（ａ）に示すような略直方体形状の硬貨容器７６ａ、および図５Ｂ（ａ）に示す硬貨容器７６ａの容量の２倍の容量を有する硬貨容器７６ｂが用いられるようになっている。図５Ｂ（ｂ）に示すような硬貨容器７６ｂは、図５Ｂ（ａ）に示すような硬貨容器７６ａと比較して奥行きの大きさおよび高さは略同一となっているが、幅の大きさが約２倍となっている。
【００３５】
図５Ｃ（ａ）に示すように、硬貨容器受部７４は、８つの硬貨容器７６ａを載置することができるような形状となっている。具体的には、図３に示すような各収納繰出装置５０の配置と同様に、硬貨容器受部７４には、硬貨容器７６ａを水平面に沿って複数列、具体的には２列となるよう載置することができ、また、各列には４つの硬貨容器７６ａを載置することができる。このように、硬貨容器７６ａの列の数は、収納繰出装置５０の列の数と等しくなっている。そして、ドロア７２における硬貨容器受部７４に載置されるべき各硬貨容器７６ａは、各収納繰出装置５０に対応するようになっている。より詳細には、硬貨容器受部７４に硬貨容器７６ａが載置されたときには、対応する１つの収納繰出装置５０から払い出された硬貨が硬貨容器７６ａに収納される。一方、硬貨容器受部７４に硬貨容器７６ｂが載置されたときには、対応する２つの収納繰出装置５０から払い出された硬貨が１つの硬貨容器７６ｂに収納される。
【００３６】
また、図１、図２、図５Ａ等に示すように、硬貨容器受部７４における各硬貨容器７６ａ、７６ｂが載置されるべき底部には開口７４ａが設けられている。そして、硬貨容器受部７４に硬貨容器７６ａ、７６ｂが載置されない場合には、各収納繰出装置５０からシュート６８を介してドロア７２に送られた硬貨は、硬貨容器受部７４の開口７４ａを通って、ドロア７２の下方にある回収ボックス７８に送られるようになる。回収ボックス７８の構成の詳細については後述する。
【００３７】
ここで、硬貨容器受部７４に載置される各種類の硬貨容器７６ａ、７６ｂの組み合わせにより、ドロア７２における硬貨容器７６ａ、７６ｂの設置台数が変更可能となっている。例えば、硬貨容器受部７４に硬貨容器７６ａのみを載置した場合には、図５Ｃ（ａ）に示すように、ドロア７２における硬貨容器７６ａの設置台数が８つとなり、ユーロ（ＥＵＲＯ）やイギリスといった、取り扱われるべき硬貨の金種の数が８つの場合に対応することができるようになる。一方、特定の金種の硬貨を大量に出金したい場合には、図５Ｂ（ａ）に示すような硬貨容器７６ａの代わりに図５Ｂ（ｂ）に示すような硬貨容器７６ｂを用い、この硬貨容器７６ｂに対応する２つの収納繰出装置５０にそれぞれ当該金種の硬貨を収納させるようにする。このことにより、２つの収納繰出装置５０から同一の金種の硬貨を同時に繰り出すことにより、硬貨容器７６ｂに大量の硬貨を迅速に収納させることができるようになる。
【００３８】
図５Ｂ（ａ）に示すような硬貨容器７６ａの代わりに図５Ｂ（ｂ）に示すような硬貨容器７６ｂを用いる際には、硬貨容器受部７４に載置される硬貨容器７６ａ、７６ｂの配置の組み合わせパターンは、例えば図５Ｃ（ｂ）（ｃ）（ｄ）に示すようなものとなる。この場合には、４つの硬貨容器７６ａおよび２つの硬貨容器７６ｂが用いられるようになり、ドロア７２における硬貨容器７６ａ、７６ｂの設置台数の合計が６つとなるので、中国やノルウェイといった、取り扱われるべき硬貨の金種の数が６つの場合に対応することができるようになる。
【００３９】
また、図５Ｂ（ａ）に示すような硬貨容器７６ａを用いずに、図５Ｂ（ｂ）に示すような硬貨容器７６ｂのみを用いることも可能である。この場合には、硬貨容器受部７４に載置される硬貨容器７６ａ、７６ｂの配置の組み合わせパターンは、例えば図５Ｃ（ｅ）（ｆ）に示すようなものとなる。この場合には、４つの硬貨容器７６ｂが用いられるようになり、アメリカやスウェーデンといった、取り扱われるべき硬貨の金種の数が４つの場合に対応することができるようになる。
【００４０】
なお、図７は、硬貨容器受部７４に硬貨容器７６ａ、７６ｂが図５Ｃ（ｂ）に示すようなパターンで載置されたときの硬貨入出金機１０の側面図であり、図８は、硬貨容器受部７４に硬貨容器７６ａ、７６ｂが図５Ｃ（ｆ）に示すようなパターンで載置されたときの硬貨入出金機１０の正面図である。
【００４１】
このように、本実施の形態では、ドロア７２は、硬貨容器受部７４と、この硬貨容器受部７４にそれぞれ載置可能である、形状が異なる複数の種類の硬貨容器７６ａ、７６ｂとを有しており、硬貨容器受部７４に載置される各種類の硬貨容器７６ａ、７６ｂの組み合わせにより、ドロア７２における硬貨容器７６ａ、７６ｂの設置台数が変更可能となっている。
【００４２】
また、本実施の形態では、ドロア７２が着脱可能に装着される台車７０に車輪７１が設けられており、この台車７０は、図１および図２に示すような、各収納繰出装置５０から払い出された硬貨がドロア７２に送られる第１位置と、ドロア７２の各硬貨容器７６ａ、７６ｂに収納された硬貨をこれらの硬貨容器７６ａ、７６ｂから取り出し可能な第２位置との間で移動可能となっている。具体的には、第２位置は、硬貨入出金機１０の筐体１２の外部の位置である。
【００４３】
また、本実施の形態では、ドロア７２には、硬貨容器受部７４に載置された各硬貨容器７６ａ、７６ｂの種類および位置を検知するための硬貨容器検知センサ７５が設けられている。このような硬貨容器検知センサ７５の構成について図６を用いて説明する。図６に示すように、ドロア７２には合計６つの硬貨容器検知センサ７５が設けられており、各硬貨容器検知センサ７５は発光部７５ａおよび受光部７５ｂを有している。より詳細には、各発光部７５ａおよび受光部７５ｂは硬貨容器受部７４の外縁部に設けられており、硬貨容器受部７４に硬貨容器７６ａ、７６ｂが何ら載置されていないときには、各硬貨容器検知センサ７５の発光部７５ａから発せられた光は受光部７５ｂにより受けられるようになっている。ここで、６つの硬貨容器検知センサ７５のうち２つの硬貨容器検知センサ７５において、発光部７５ａから発せられた光が硬貨容器受部７４の横方向に進行し、残りの４つの硬貨容器検知センサ７５において、発光部７５ａから発せられた光が硬貨容器受部７４の縦方向に進行するようになっている。
【００４４】
また、図５Ｂ（ａ）に示すような硬貨容器７６ａにおいて、４つの側面のうち隣り合う２つの側面に遮光部材７６ｐが設けられており（図６参照）、このような硬貨容器７６ａが硬貨容器受部７４に載置されたときには、硬貨容器検知センサ７５の発光部７５ａから発せられた光は遮光部材７６ｐにより遮られて受光部７５ｂには送られないようになる。この際に、図６に示すように、縦方向に光が進行する１つの硬貨容器検知センサ７５、および横方向に光が進行する１つの硬貨容器検知センサ７５において遮光状態が検知されるようになる。
【００４５】
また、図５Ｂ（ｂ）に示すような硬貨容器７６ｂにおいて、４つの側面のうち短辺の１つの側面に遮光部材７６ｐが設けられており（図６参照）、このような硬貨容器７６ｂが硬貨容器受部７４に載置されたときには、硬貨容器検知センサ７５の発光部７５ａから発せられた光は遮光部材７６ｐにより遮られて受光部７５ｂには送られないようになる。この際に、硬貨容器７６ｂが縦向きで硬貨容器受部７４に載置されたときには、縦方向に光が進行する１つの硬貨容器検知センサ７５において遮光状態が検知されるようになる。一方、硬貨容器７６ｂが横向きで硬貨容器受部７４に載置されたときには、横方向に光が進行する１つの硬貨容器検知センサ７５において遮光状態が検知されるようになる。
【００４６】
このように、図６に示すような６つの硬貨容器検知センサ７５を用いることにより、硬貨容器受部７４に硬貨容器７６ａ、７６ｂのうち何れの種類の硬貨容器が載置されたかを検知することができるとともに、硬貨容器受部７４に硬貨容器７６ｂが載置された場合には、この硬貨容器７６ｂが縦向きまたは横向きのどちらであるかを検知することができるようになる。
【００４７】
前述したように、台車７０におけるドロア７２の下方には回収ボックス７８が着脱自在に設けられている。回収ボックス７８としては、複数の金種を混合して１つの区画に収納するようなタイプのもの、あるいは硬貨を金種毎に複数の区画に収納するようなタイプのものが用いられるようになっている。
【００４８】
図１および図２では、複数の金種を混合して１つの区画に収納するようなタイプの回収ボックス７８が台車７０に装着されている。この場合には、図９および図１０に示すように、硬貨容器受部７４から硬貨容器７６ａ、７６ｂを取り外し、代わりに上方および下方が開口している仕切板７９を硬貨容器受部７４に載置することにより、各シュート６８からドロア７２に送られた硬貨は硬貨容器受部７４の開口７４ａを通って回収ボックス７８に収納されるようになる。そして、台車７０を図９および図１０に示すような第１位置から、硬貨入出金機１０の筐体１２の外部の位置である第２位置に移動させることにより、硬貨を回収ボックス７８ごと回収する。
【００４９】
また、硬貨を金種毎に複数の区画に収納するようなタイプの回収ボックス７８ａを台車７０に装着した場合について図１１および図１２を用いて説明する。図１１および図１２に示すように、硬貨を金種毎に複数の区画に収納するようなタイプの回収ボックス７８ａを台車７０に装着した場合でも、硬貨容器受部７４から硬貨容器７６ａ、７６ｂを取り外し、代わりに上方および下方が開口している仕切板７９を硬貨容器受部７４に載置することにより、各シュート６８からドロア７２に送られた硬貨は硬貨容器受部７４の開口７４ａを通って回収ボックス７８ａに収納されるようになる。この際に、回収ボックス７８ａが複数の区画に分けられていることにより、硬貨が金種毎に複数の区画に収納されるようになる。このことにより、硬貨を金種毎に回収することができるようになる。そして、台車７０を図１１および図１２に示すような第１位置から、硬貨入出金機１０の筐体１２の外部の位置である第２位置に移動させることにより、硬貨を回収ボックス７８ａごと回収する。
【００５０】
また、本実施の形態の硬貨入出金機１０においては、当該硬貨入出金機１０の各構成要素の制御を行う制御部８０が設けられている。図４は、図１等に示す硬貨入出金機１０の機能ブロック図である。図４を参照して、制御部８０の構成について説明する。
【００５１】
図４に示すように、制御部８０は、入金搬送部２０、識別部２２、貯留繰出装置３０、一時保留部４０、収納繰出装置５０における繰出部５１や搬送部６０等に接続されており、これらの構成要素に対して信号の送受信を行うようになっている。より詳細には、識別部２２による硬貨の識別結果に係る信号が制御部８０に送られるようになっている。また、制御部８０は、入金搬送部２０、貯留繰出装置３０、一時保留部４０、収納繰出装置５０における繰出部５１や搬送部６０等に制御信号を送り、これらの各構成要素の制御を行うようになっている。
【００５２】
また、制御部８０には報知部８２が接続されており、この報知部８２により操作者に対して表示や音声等により様々な報知を行うことができるようになっている。また、制御部８０には、当該制御部８０に対して操作者が様々な指令を行うための操作部８４が設けられている。これらの報知部８２や操作部８４の一例として、例えば筐体１２の前面や上面に設けられた、報知部８２および操作部８４が一体化されたタッチパネルからなるものが知られている。
【００５３】
また、制御部８０には記憶部８６が接続されており、硬貨入出金機１０の様々な設定や当該硬貨入出金機１０による硬貨の処理結果等の情報が記憶部８６に記憶されるようになっている。具体的には、入金搬送部２０に設けられた各選別部２４により選別される硬貨の金種の設定に係る情報や、各収納繰出装置５０に収納されている硬貨の金種毎の枚数や金額等の情報が記憶部８６に記憶されるようになっている。
【００５４】
また、制御部８０にはインターフェース８８が接続されており、このインターフェース８８を介して制御部８０は硬貨入出金機１０の外部の装置（例えば上位装置）に対して信号の送受信を行うことができるようになっている。
【００５５】
また、図４に示すように、制御部８０には、金種設定手段９０および異常状態出力手段９２がそれぞれ接続されている。金種設定手段９０は、各収納繰出装置５０に収納されるべき硬貨の金種を設定するようになっている。より詳細には、操作者が操作部８４により入力を行うことによって、金種設定手段９０において各収納繰出装置５０に収納されるべき硬貨の金種が設定されるようになる。
【００５６】
また、異常状態出力手段９２は、各収納繰出装置５０から払い出された複数の金種の硬貨が１つの硬貨容器７６ａ、７６ｂに収納されるよう、硬貨容器受部７４に載置される各種類の硬貨容器７６ａ、７６ｂの組み合わせおよび各収納繰出装置５０に収納されるべき硬貨の金種が設定されたときに、異常状態である旨の情報を出力するようになっている。具体的には、硬貨容器受部７４に硬貨容器７６ｂが載置され、この硬貨容器７６ｂに対応する２つの収納繰出装置５０に互いに異なる金種の硬貨が収納されるようになっていた場合には、異常状態出力手段９２により異常状態である旨の情報が出力されるようになる。異常状態出力手段９２により異常状態である旨の情報が出力されると、このことが報知部８２により操作者に報知されたり、記憶部８６に記憶されたり、あるいはインターフェース８８を介して硬貨入出金機１０の外部の装置（例えば上位装置）に対してこの情報が送信されたりするようになる。
【００５７】
また、本実施の形態では、操作部８４等により、１回に回収できる硬貨の重さを設定することができるようになっている。具体的には、男性モードおよび女性モードのうち何れのモードを行うかを設定することができ、女性モードを設定した場合には、男性モードを設定した場合よりも、回収ボックス７８、７８ａに収納される硬貨の枚数が少なくなる。すなわち、回収ボックス７８、７８ａに収納された硬貨が所定の枚数に達すると、報知部８２により、台車７０を硬貨入出金機１０の筐体１２から取り出すとともにこの台車７０から回収ボックス７８、７８ａを回収する旨のメッセージが操作者に報知されるようになるが、この際に「所定の枚数」が男性モードおよび女性モードで異なるようになる。また、このときに、回収動作があと何回必要であるかという情報が報知部８２により操作者に報知されるようになっていてもよい。また、男性モードおよび女性モードではなく、操作者毎に、回収ボックス７８、７８ａに収納されるべき硬貨の枚数が設定されるようになっていてもよい。
【００５８】
以上のように本実施の形態の硬貨入出金機１０およびドロア７２によれば、ドロア７２は、硬貨容器受部７４と、硬貨容器受部７４にそれぞれ載置可能である、形状が異なる複数の種類の硬貨容器７６ａ、７６ｂと、を有しており、硬貨容器受部７４に載置される各種類の硬貨容器７６ａ、７６ｂの組み合わせにより、ドロア７２における硬貨容器７６ａ、７６ｂの設置台数が変更可能となっている。このことにより、取り扱われるべき硬貨の金種の数に応じてドロア７２における硬貨容器７６ａ、７６ｂの数を変えることができる。また、特定の金種の硬貨を大量に出金したい場合には当該金種に対応する硬貨容器として容量の大きなもの（具体的には、図５Ｂ（ｂ）に示すような硬貨容器７６ｂ）を用いることにより、特定の金種の硬貨を大量に出金することができる。
【００５９】
また、本実施の形態の硬貨入出金機１０においては、ドロア７２が着脱可能な台車７０が設けられており、この台車７０は、各収納繰出装置５０から払い出された硬貨がドロア７２に送られる第１位置（図１および図２参照）と、ドロア７２の各硬貨容器７６ａ、７６ｂに収納された硬貨を当該各硬貨容器７６ａ、７６ｂから取り出し可能な第２位置（具体的には、硬貨入出金機１０の筐体１２の外部の位置）との間で移動可能となっている。このことにより、ドロア７２に収納された硬貨を操作者は容易に取り出すことができるようになる。
【００６０】
また、本実施の形態の硬貨入出金機１０においては、ドロア７２には、硬貨容器受部７４に載置された各硬貨容器７６ａ、７６ｂの種類および位置を検知するための硬貨容器検知センサ７５が設けられている。このことにより、硬貨容器受部７４に載置された各硬貨容器７６ａ、７６ｂの種類および位置を自動的に検知することができるようになる。
【００６１】
また、本実施の形態の硬貨入出金機１０においては、各収納繰出装置５０に収納されるべき硬貨の金種を設定するための金種設定手段９０が設けられている。また、各収納繰出装置５０から払い出された複数の金種の硬貨がドロア７２の１つの硬貨容器（具体的には、図５Ｂ（ｂ）に示すような硬貨容器７６ｂ）に収納されるよう、ドロア７２の硬貨容器受部７４に載置される各種類の硬貨容器７６ａ、７６ｂの組み合わせおよび各収納繰出装置５０に収納されるべき硬貨の金種が設定されたときに、異常状態である旨の情報を出力する異常状態出力手段９２が設けられている。このことにより、複数の金種の硬貨が１つの硬貨容器７６ｂに収納されてしまうことを防止することができる。
【００６２】
また、本実施の形態の硬貨入出金機１０においては、ドロア７２の少なくとも１つの硬貨容器７６ａは、１つの収納繰出装置５０から払い出された硬貨を収納するようになっている。また、ドロア７２の少なくとも１つの硬貨容器７６ｂは、複数（具体的には２つ）の収納繰出装置５０から払い出された硬貨を収納するようになっている。
【００６３】
また、本実施の形態の硬貨入出金機１０においては、複数の収納繰出装置５０は、水平面上で複数列となるよう配置されるようになっている。また、複数の硬貨容器７６ａは、硬貨容器受部７４上で複数列となるよう配置されるようになっており、収納繰出装置５０の列の数は、硬貨容器７６ａの列の数と等しくなっている。
【００６４】
また、本実施の形態の硬貨入出金機１０においては、硬貨容器受部７４における各硬貨容器７６ａ、７６ｂが載置されるべき底部には開口７４ａが設けられており、硬貨容器受部７４の下方に硬貨を回収するための回収ボックス７８が設置可能となっている。このことにより、硬貨容器受部７４から硬貨容器７６ａ、７６ｂを取り外すことにより、シュート６８から送られた硬貨を、硬貨容器受部７４の開口７４ａを通って、回収ボックス７８に収納させることができる。
【００６５】
なお、本実施の形態による硬貨入出金機１０およびドロア７２は、上記の態様に限定されるものではなく、様々の変更を加えることができる。
【００６６】
例えば、硬貨容器受部７４に載置された各硬貨容器７６ａ、７６ｂの種類および位置を検知するための硬貨容器検知部は、図６に示すような硬貨容器検知センサ７５に限定されることはない。他の態様として、各硬貨容器７６ａ、７６ｂにＩＤチップを設けるとともに硬貨容器受部７４にリーダを設け、硬貨容器７６ａ、７６ｂに設けられたＩＤチップに硬貨容器７６ａ、７６ｂの種類に関する情報を記憶させるとともに、硬貨容器受部７４に設けられたリーダによって硬貨容器７６ａ、７６ｂのＩＤチップに記憶された情報を読み取るようになっていてもよい。
【００６７】
また、本実施の形態の硬貨入出金機１０のドロア７２で用いられる硬貨容器は、硬貨容器７６ａのような１つの収納繰出装置５０から払い出された硬貨を収納するようなもの、あるいは硬貨容器７６ｂのような２つの収納繰出装置５０から払い出された硬貨を収納するようなものに限定されることはない。硬貨容器として、３つ以上の収納繰出装置５０から払い出された硬貨を収納するようなものが用いられるようになっていてもよい。この場合、硬貨容器として、例えば３つの硬貨容器７６ａを１つにしたＬ字形状のものや直方体形状のものが用いられてもよい。また、更に他の構成の硬貨容器として、例えば４つ以上の硬貨容器７６ａを１つにしたものが用いられてもよい。
【符号の説明】
【００６８】
１０  硬貨入出金機
１２  筐体
１４  硬貨受入口
２０  入金搬送部
２０ａ  上部搬送部分
２０ｂ  折り返し搬送部分
２０ｃ  下部搬送部分
２２  識別部
２４  選別部
２６  シュート
３０  貯留繰出装置
３２  回転円盤
３３  硬貨貯留空間
３４  カバー部材
４０  一時保留部
４６  シュート
４７  リジェクト部
４８  返却箱
４９  オーバーフローボックス
５０  収納繰出装置
５１  繰出部
５２  回転円盤
５３  硬貨収納空間
５４  カバー部材
６０  搬送部
６２  搬送ベルト
６８  シュート
７０  台車
７１  車輪
７２  ドロア
７４  硬貨容器受部
７５  硬貨容器検知センサ
７５ａ  発光部
７５ｂ  受光部
７６ａ、７６ｂ  硬貨容器
７６ｐ  遮光部材
７８、７８ａ  回収ボックス
７９  仕切板
８０  制御部
８２  報知部
８４  操作部
８６  記憶部
８８  インターフェース
９０  金種設定手段
９２  異常状態出力手段
【図１】
2014010680.tif 000003
【図２】
2014010680.tif 000004
【図３】
2014010680.tif 000005
【図４】
2014010680.tif 000006
【図５Ａ】
2014010680.tif 000007
【図５Ｂ】
2014010680.tif 000008
【図５Ｃ】
2014010680.tif 000009
【図６】
2014010680.tif 000010
【図７】
2014010680.tif 000011
【図８】
2014010680.tif 000012
【図９】
2014010680.tif 000013
【図１０】
2014010680.tif 000014
【図１１】
2014010680.tif 000015
【図１２】
2014010680.tif 000016